(57)【特許請求の範囲】
【請求項１】
撮像素子を配置したマスターフランジと、
前記マスターフランジ上に形成したガイド軸と、
前記撮像素子に被写体像を合焦させるフォーカスレンズを保持するとともに前記ガイド軸の軸方向に摺動するフォーカスレンズ枠と、
対物レンズと前記対物レンズを保護するバリアとを含むレンズ群と、
前記フォーカスレンズ枠と前記レンズ群との間に配置された中間枠と、を備え、
前記マスターフランジは、前記バリアの開閉動作を制御するバリア開閉角を有し、
前記バリアは、バリア駆動ピンを有し、
前記中間枠は、外周部に貫通部を有し、
前記バリア駆動ピンは、前記貫通部を介して前記バリア開閉角と当接し、
前記マスターフランジは、さらに、前記バリア開閉角と一体に設けられた規制部を有し、
前記規制部は、前記フォーカスレンズ枠の前記ガイド軸に対する回転移動を規制し、
前記マスターフランジは、さらに、前記規制部と隣接する壁部を有し、前記壁部の一部は、前記規制部と前記フォーカスレンズ枠の間に設けられ、光軸方向からの光を遮光し、フォーカスレンズへの光の入射を防止する、
ことを特徴とするレンズ鏡筒。
【請求項２】
前記バリア駆動ピンを前記バリア開閉角の端部と当接させながら移動させるとともに、前記バリア開閉角の前記規制部と相対する面の方向に前記バリア駆動ピンを移動させることを特徴とする請求項１に記載のレンズ鏡筒。
【請求項３】
前記バリア開閉角の前記規制部を設けた面と相対する面には、前記マスターフランジ面に向って肉厚となるテーパ部を設けたことを特徴とする請求項２に記載のレンズ鏡筒。
【請求項４】
前記中間枠は、シャッターユニットを有し、前記規制部と前記シャッターユニットの間に仕切り壁を設けたことを特徴とする請求項１から３のいずれか一項に記載のレンズ鏡筒。
【発明の詳細な説明】
【技術分野】
【０００１】
本発明は、撮像装置のレンズ鏡筒に関するものであり、特には、レンズ枠と撮影レンズのバリアとの駆動機構に関するものである。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ｍｅｔａｌ−ｏｘｉｄｅ  Ｓｅｍｉｃｏｎｄｕｃｔｏｒ）センサ等の撮像素子を用いたデジタルスチルカメラやビデオムービーの普及が著しい。一般に、これらのデジタルスチルカメラやビデオムービーには、被写体の光学像を撮像素子に結像させるためのレンズ鏡筒が取り付けられている。特に、デジタルスチルカメラでは、撮影をしない場合、レンズ鏡筒をカメラ本体に収納する沈胴式タイプが普及している。沈胴式のレンズ鏡筒は、例えば、特許文献１に記載されている。
【０００３】
特許文献１に記載されたように、沈胴式のレンズ鏡筒は、固定鏡筒と移動鏡筒とを備えている。カメラ本体に配置された固定鏡筒に対して移動鏡筒が繰り出されたり収納されたりする。
【０００４】
また、これらの撮像装置を構成するレンズ鏡筒の多くには、撮像素子上に被写体像を合焦させるためのフォーカスレンズがフォーカスレンズ枠に配置され、このフォーカスレンズ枠を、レンズ鏡筒内に配置されたレンズ群の光軸方向に移動させるようにしている。
【０００５】
また、撮影レンズとなる対物レンズの前面には、対物レンズを保護するためのバリアを備えたバリアユニットが配置されている。
【０００６】
一方、これらのフォーカスレンズ枠の移動を規制するための構成が特許文献２や特許文献３に開示されている。
【先行技術文献】
【特許文献】
【０００７】
【特許文献１】特開２００８−１８５７８６号公報
【特許文献２】特開２００６−３０１６７２号公報
【特許文献３】国際公開第２００４／０１０８１３号
【発明の概要】
【発明が解決しようとする課題】
【０００８】
近年の撮像装置の小型化に伴い、レンズ鏡筒のさらなる小型化が望まれている。
【０００９】
本発明は上記課題を解決し、小径化を実現したレンズ鏡筒を提供することを目的としている。
【課題を解決するための手段】
【００１０】
上記の目的を達成するために、本発明のレンズ鏡筒は、撮像素子を配置したマスターフランジと、マスターフランジ上に形成したガイド軸と、撮像素子に被写体像を合焦させるフォーカスレンズを保持するとともにガイド軸の軸方向に摺動するフォーカスレンズ枠と、対物レンズと対物レンズを保護するバリアとを含むレンズ群とを備え、バリアの開閉動作を制御するバリア開閉角をマスターフランジ上に形成し、フォーカスレンズ枠のガイド軸に対する回転移動を規制する規制部をバリア開閉角に一体として設けている。
【００１１】
このような構成によれば、フォーカスレンズ枠のガイド軸に対する回転移動を規制する規制部をバリア開閉角に一体として設けているため、スペースを有効に活用してレンズ鏡筒を小型化することができる。
【発明の効果】
【００１２】
以上のように、本発明によれば、フォーカスレンズ枠のガイド軸に対する回転移動を規制する規制部をバリア開閉角に一体として設けているため、スペースを有効に活用してレンズ鏡筒を小型化することができる。
【図面の簡単な説明】
【００１３】
【図１】本発明の一実施の形態におけるレンズ鏡筒のＷｉｄｅ時の断面図である。
【図２】同レンズ鏡筒のＴｅｌｅ時の断面図である。
【図３】同レンズ鏡筒の沈胴時の断面図である。
【図４】レンズ鏡筒のバリアユニットの開閉羽の開閉方式を示す模式図である。
【図５】本発明の一実施の形態におけるレンズ鏡筒のマスターフランジに第３のレンズ群ユニットを組み込んだ状態を示す斜視図である。
【図６】図５の状態にさらに、第２のレンズ枠を組み込んだ状態を示す斜視図である。
【図７】本発明の一実施の形態におけるレンズ鏡筒のバリア開閉角とバリア駆動ピンとの動作の詳細を説明する図である。
【発明を実施するための形態】
【００１４】
以下、本発明の一実施の形態におけるレンズ鏡筒について沈胴式レンズ鏡筒を用いた撮像装置を例として図面を参照しながら説明する。
【００１５】
（実施の形態）
図１は実施の形態におけるズーム倍率（望遠倍率）を１倍とした通常撮影時であるＷｉｄｅ時のレンズ鏡筒の状態、図２は実施の形態におけるズーム倍率を最大倍率とした最大望遠時であるＴｅｌｅ時のレンズ鏡筒の状態、図３は実施の形態における非撮影時のレンズ鏡筒が沈胴した状態を示すそれぞれの断面図である。
【００１６】
まず、レンズ鏡筒の全体構成と動作について説明する。
【００１７】
図１〜図３において、レンズ鏡筒１００は、固定鏡筒１１０と、この固定鏡筒１１０の内側に保持された移動鏡筒１２０とを備えている。この移動鏡筒１２０は固定鏡筒１１０に対して前方に繰り出されたり、固定鏡筒１１０の内部に収納されたりするように移動する。
【００１８】
この移動鏡筒１２０は、第１の移動鏡筒１２０ａと、第２の移動鏡筒１２０ｂと、第３の移動鏡筒１２０ｃとを備えている。第３の移動鏡筒１２０ｃの内側に第２の移動鏡筒１２０ｂが保持され、第２の移動鏡筒１２０ｂの内側に第１の移動鏡筒１２０ａが保持されている。
【００１９】
すなわち、第３の移動鏡筒１２０ｃに対して第２の移動鏡筒１２０ｂが繰り出され、第２の移動鏡筒１２０ｂに対して第１の移動鏡筒１２０ａが繰り出される。また、第３の移動鏡筒１２０ｃに第２の移動鏡筒１２０ｂが収納され、第２の移動鏡筒１２０ｂに第１の移動鏡筒１２０ａが収納される。
【００２０】
このように、固定鏡筒１１０に対して第１の移動鏡筒１２０ａ、第２の移動鏡筒１２０ｂ、第３の移動鏡筒１２０ｃが前方に繰り出されたり、固定鏡筒１１０に第１の移動鏡筒１２０ａ、第２の移動鏡筒１２０ｂ、第３の移動鏡筒１２０ｃが収納されたりする。
【００２１】
したがって、第１の移動鏡筒１２０ａ〜第３の移動鏡筒１２０ｃが前方に繰り出された際は、第１の移動鏡筒１２０ａが最前面に繰り出される。
【００２２】
第１の移動鏡筒１２０ａには、第１のレンズ枠１３０ａを介して撮影レンズとなる対物レンズである第１のレンズ群１４０ａを保持し、第１のレンズ群１４０ａをカメラカム枠１６０と直進枠１７０とによって、光軸方向に移動させてズーミングが可能な構成としている。
【００２３】
第２の移動鏡筒１２０ｂには、第２のレンズ枠１３０ｂを介して第２のレンズ群１４０ｂが保持され、固定鏡筒１１０には、フォーカスレンズ枠である第３のレンズ枠１３０ｃを介してフォーカスレンズである第３のレンズ群１４０ｃが保持されている。
【００２４】
第１のレンズ枠１３０ａは第１の移動鏡筒１２０ａに固定され、第２のレンズ枠１３０ｂは第２の移動鏡筒１２０ｂに光軸上を移動自在に保持され、第３のレンズ枠１３０ｃは固定鏡筒１１０に光軸上を移動自在に保持されている。
【００２５】
第１のレンズ群１４０ａ〜第３のレンズ群１４０ｃは、それぞれ複数枚のレンズを組み合わせて構成されており、第１のレンズ群１４０ａは被写体の光学像を取り込むための対物レンズとなるレンズ群であり、第２のレンズ群１４０ｂはズーム用のレンズ群であり、第３のレンズ群１４０ｃはフォーカス用のレンズ群である。撮影をする場合、第１のレンズ群１４０ａ〜第３のレンズ群１４０ｃの間隔を変化させることによって、光学像のズームやフォーカスを調整している。
【００２６】
次に、レンズ鏡筒１００についてさらに詳細に説明する。図１〜図３において、第１の移動鏡筒１２０ａは、前面に第１のレンズ群１４０ａを保護するためのバリアユニット１５０を備えている。このバリアユニット１５０には開閉羽１５０ａを設けており、撮影時には開閉羽１５０ａが開き、非撮影時の固定鏡筒１１０に第１の移動鏡筒１２０ａ、第２の移動鏡筒１２０ｂ、第３の移動鏡筒１２０ｃが収納された沈胴状態では、開閉羽１５０ａが閉じて第１のレンズ群１４０ａを保護している。
【００２７】
第２の移動鏡筒１２０ｂは、円筒状のカメラカム枠１６０と、このカメラカム枠１６０の内側に保持された円筒状の直進枠１７０とを備えている。この直進枠１７０の内側に第１の移動鏡筒１２０ａが光軸上に移動自在に保持されるとともに、この直進枠１７０に第２のレンズ枠１３０ｂが光軸上に移動自在に保持されている。カメラカム枠１６０の内面にはカム溝が形成されており、このカム溝によって、第１のレンズ群１４０ａ、第２のレンズ群１４０ｂを光軸方向に移動させる。直進枠１７０には直進溝が形成されており、この直進枠１７０によって、第１のレンズ群１４０ａ、第２のレンズ群１４０ｂを直進させる。
【００２８】
この第２のレンズ枠１３０ｂには、シャッターユニット１８０や手ブレ補正機構１８５、さらには絞り機構などを備えている。シャッターユニット１８０によってズーム用の第２のレンズ群１４０ｂのシャッター１８０ａを開閉し、手ブレ補正機構１８５によって手ブレ補正を行い、絞り機構によって絞りの調整をしている。このシャッターユニット１８０や手ブレ補正機構１８５や絞り機構などを制御する電気信号は信号伝達用のフレキシブル配線１９０を介して伝達している。
【００２９】
第３の移動鏡筒１２０ｃは、円筒状の駆動枠２１０と、この駆動枠２１０の内側に保持された貫通カム枠２２０とを備えている。この貫通カム枠２２０の内側に第２の移動鏡筒１２０ｂが光軸上に移動自在に保持されている。
【００３０】
固定鏡筒１１０は、円筒状の固定枠２３０と、この固定枠２３０に固定された円筒状のマスターフランジ２４０を備えている。この固定枠２３０の内側に第３の移動鏡筒１２０ｃが光軸上に移動自在に保持されるとともに、この固定枠２３０に第３のレンズ枠１３０ｃが光軸上に移動自在に保持されている。第３のレンズ群１４０ｃはフォーカス用のレンズ群であり、フォーカスレンズ枠である第３のレンズ枠１３０ｃに固定している。マスターフランジ２４０上に固定配置したステッピングモータなどの駆動機構によって、マスターフランジ２４０上に固定配置したガイド軸１８６に沿って第３のレンズ枠１３０ｃを光軸方向に移動させている。
【００３１】
また、マスターフランジ２４０上であって固定鏡筒１１０の中心部には、赤外線遮断用のＩＲカットガラス２５０を介して撮像素子であるＣＣＤユニット２６０が光軸上に配置されている。
【００３２】
図１および図２は撮影時のレンズ鏡筒１００の状態を示す図であり、図３は非撮影時のレンズ鏡筒１００の状態を示す図である。図３に示すように、非撮影時のレンズ鏡筒１００では、第１の移動鏡筒１２０ａに設けたバリアユニット１５０の開閉羽１５０ａが閉じた状態となっており、第１のレンズ群１４０ａを保護している。
【００３３】
次に、レンズ鏡筒１００のバリアユニット１５０の開閉羽１５０ａの開閉動作原理について図４を用いて説明する。図４はバリアユニット１５０の開閉羽１５０ａの開閉方式を示す模式図であり、図４（ａ）は開閉羽１５０ａが閉じる前の状態、図４（ｂ）は開閉羽１５０ａが閉じた状態を示す図である。
【００３４】
バリアユニット１５０の先端部には第１のレンズ群１４０ａに対して開口した開口部１５０ｂが設けられ、その開口部１５０ｂの周囲にいわゆるバリアとなる開閉羽１５０ａが配置されている。開閉羽１５０ａは、例えば一対の板羽などによって構成されている。これらの開閉羽１５０ａにはバリア駆動ピン４０１を係合させ、バリア駆動ピン４０１を移動させることによって開口部１５０ｂを開閉羽１５０ａによって閉じるように構成している。また、バリア駆動ピン４０１の移動をバリア開閉角４０２によって行うようにしている。
【００３５】
すなわち、図１〜図３に示すマスターフランジ２４０に配置固定したバリア開閉角４０２と、バリアユニット１５０に設けたバリア駆動ピン４０１とを当接させながら、バリア駆動ピン４０１を移動させることによって開閉羽１５０ａを閉じるようにしている。
【００３６】
図４（ａ）は、図１または図２に示す撮影時の状態を示しており、バリアユニット１５０のバリア駆動ピン４０１とバリア開閉角４０２とが離間した状態である。この状態では、バリア駆動ピン４０１がバリア開閉角４０２によって移動させられることがないので、開閉羽１５０ａはバリアユニット１５０の周囲に収納された状態となり、開口部１５０ｂが第１のレンズ群１４０ａに対して開口した状態となる。
【００３７】
一方、図４（ｂ）は、図３に示す非撮影時である沈胴状態を示しており、第１の移動鏡筒１２０ａの沈胴によって、バリア駆動ピン４０１をバリア開閉角４０２の端部と当接させながら移動させ、開閉羽１５０ａを閉じた状態を示している。すなわち、第１の移動鏡筒１２０ａの沈胴によって、バリアユニット１５０は矢印Ａの方向に移動する。バリアユニット１５０が矢印Ａの方向に所定距離移動すると、マスターフランジ２４０に配置固定されたバリア開閉角４０２の端部４０２ａとバリア駆動ピン４０１とが当接する。さらに、バリアユニット１５０がマスターフランジ２４０側に移動することによって、相対的にバリア駆動ピン４０１に設けたテーパ部４０１ａに沿ってバリア開閉角４０２が移動することで、バリア駆動ピン４０１を矢印Ｂの方向に所定距離Ｈだけ移動させる。その結果、バリアユニット１５０の開口部１５０ｂを開閉羽１５０ａで閉塞するようにしている。
【００３８】
次に、実施の形態におけるレンズ鏡筒１００のバリア開閉角４０２の構成について図５を用いて説明する。図５は、実施の形態におけるレンズ鏡筒１００において、マスターフランジ２４０に第３のレンズ群ユニット５００を組み込んだ状態を示す斜視図である。
【００３９】
第３のレンズ群ユニット５００は、フォーカス用のレンズである第３のレンズ群１４０ｃ、フォーカスレンズ枠である第３のレンズ枠１３０ｃ、ガイド部材５０１などにより構成されている。第３のレンズ枠１３０ｃは、マスターフランジ２４０上に固定配置したステッピングモータ５０２などの駆動機構を用い、マスターフランジ２４０上に固定配置したガイド軸１８６にガイド部材５０１を嵌め合わせて摺動させることによって光軸方向に移動するようにしている。
【００４０】
また、図５に示すように、マスターフランジ２４０上にはバリア開閉角４０２が一体成形などの方法によって配置固定されている。バリア開閉角４０２は、全体としてマスターフランジ２４０から鉛直方向に立ち上げた部材である。バリア開閉角４０２には、ガイド軸１８６上を光軸方向に移動する第３のレンズ枠１３０ｃの回転移動を規制する規制部５０３を一体として設けている。また、バリア開閉角４０２の規制部５０３を設けた面と対向する面には破線で示すように、図４に示すバリア駆動ピン４０１と当接する段差部５０４を設け、段差部５０４をマスターフランジ２４０に向って肉厚となるようなテーパ部５０５と、直線部５０６とによって構成している。また、バリア開閉角４０２には光軸方向への外光など遮光する遮光壁５０７を設けるようにしている。
【００４１】
すなわち、本実施の形態ではバリア開閉角４０２に、ガイド軸１８６上を光軸方向に移動する第３のレンズ枠１３０ｃの回転移動を規制する規制部５０３を一体として設け、第３のレンズ枠１３０ｃの回転止め５０８と規制部５０３とを係合させながら、第３のレンズ枠１３０ｃを光軸方向に移動可能としている。その結果、第３のレンズ枠１３０ｃの回転が規制されて、光軸方向のみの移動を確実に行うことができる。
【００４２】
図６は、図５に示すマスターフランジ２４０に第３のレンズ群ユニット５００を組み込んだ状態に、さらに、第２のレンズ枠１３０ｂを組み込んだ状態を示す斜視図である。第２のレンズ枠１３０ｂには、シャッターユニット１８０や手ブレ補正機構１８５、さらには絞り機構などを備えている。すなわち、図６に示すように、バリア開閉角４０２は第２のレンズ枠１３０ｂの外周部に設けた貫通部６０１を貫通し、第２のレンズ枠１３０ｂを構成するシャッターユニットを介してバリアユニット１５０に設けられたバリア駆動ピン４０１と当接するようにしている。
【００４３】
したがって、実施の形態におけるレンズ鏡筒１００によれば、バリア開閉角４０２に、第３のレンズ枠１３０ｃの回転止め５０８を一体として設けている。第３のレンズ枠１３０ｃの回転止めを別体として独立して設ける必要がなくなるため、スペースを有効に活用することができ、鏡筒の小型化につながる。特に、貫通部６０１のみにバリア開閉角４０２と回転止め５０８とを配置することで、シャッターユニット上の複数個所に貫通部を設けない構成にできる。これにより、貫通部を設けるためのシャッターユニット上の領域を減らすことができるため、シャッターユニットの小径化とレンズ鏡筒の小径化を実現することができる。
【００４４】
図７は、実施の形態におけるレンズ鏡筒１００においてバリア開閉角４０２とバリア駆動ピン４０１との動作をさらに詳細に説明する図であり、図４における開閉動作原理を説明したのと同様である。また、図５におけるバリア開閉角４０２のＡ−Ａ線断面図である。図７（ａ）は撮影時のバリア開閉羽が開の状態を示しており、図７（ｂ）は非撮影時のバリア開閉羽が閉の状態を示している。
【００４５】
図７（ａ）に示すように、バリア開閉角４０２は図５で示したように、マスターフランジ２４０から鉛直方向に立ち上げた部材で構成され、片側の鉛直部に第３のレンズ枠１３０ｃの回転止め５０８と係合する規制部５０３が所定の高さとなるように設けられている。バリア開閉角４０２の規制部５０３を設けた面と対向する面には、段差部５０４を設けている。段差部５０４をマスターフランジ２４０に向って肉厚となるようなテーパ部５０５と、直線部５０６とによって構成している。また、バリア開閉角４０２の端部はＲ部７０４を有するように構成している。また、このバリア開閉角４０２と当接するバリア駆動ピン４０１はその先端部にテーパ部４０１ａを形成している。
【００４６】
図７（ｂ）に示すように、沈胴状態の開閉羽が閉じた状態では、バリア開閉角４０２のテーパ部５０５に、バリア駆動ピン４０１のテーパ部４０１ａが沿うようにバリア駆動ピン４０１が移動する。
【００４７】
したがって、図４で説明したのと同様に、図１のようなカメラ撮影待機状態から、図３の沈胴状態に移動する際、バリア駆動ピン４０１は、図７（ａ）の矢印Ｉの方向に移動する。これにより、バリア駆動ピン４０１のテーパ部４０１ａと、バリア開閉角４０２のＲ部７０１が当接し、バリア駆動ピン４０１は矢印Ｊ方向に押される。バリア駆動ピン４０１が、Ｊ方向に移動することにより、バリアユニット１５０の開閉羽１５０ａは閉じることになる。
【００４８】
このように、実施の形態では、バリア開閉角４０２の一方の面に第３のレンズ枠１３０ｃの回転止め５０８と係合する規制部５０３を設け、その相対する面側にバリア駆動ピン４０１が移動するようにしている。すなわち、バリア駆動ピン４０１の移動と回転止め５０８の移動とは干渉がないように構成している。そのため、レンズ鏡筒１００の光軸方向の長さを短くして小型化を実現することができる。
【００４９】
また、図７に示すように、バリア開閉角４０２には段差部５０４を設け、段差部５０４をマスターフランジ２４０に向って肉厚となるようなテーパ部５０５と、直線部５０６とによって構成している。そのため、規制部５０３と一体となったバリア開閉角４０２の機械的強度を向上させることができる。
【００５０】
さらに、このように、バリア開閉角４０２に回転止め５０８と係合する規制部５０３を一体で設けている。そのため、回転止めを別体で設けた場合にはその機械的強度が弱く、レンズ鏡筒の組み立て時に回転止めが折損するなどの不具合を生じる場合があったが、実施の形態によればそれらの不具合をなくすことができる。
【００５１】
なお、図６に示すように、バリア開閉角４０２は第２のレンズ枠１３０ｂの外周部に設けた貫通部６０１を貫通するように構成し、さらに、貫通部６０１は第２のレンズ枠１３０ｂに設けた仕切り壁６０２を介して配置されている。第３のレンズ枠１３０ｃの回転止め５０８と係合する規制部５０３には、それらの相対移動を円滑にするための潤滑剤としてグリースなどを塗布することが望ましい。しかしながら、第２のレンズ枠１３０ｂ内に配置されるシャッターユニットにこれらのグリースが浸潤すると、シャッターユニット内のシャッター羽の動作に不具合を生じる。本実施の形態では、図６に示すように、グリースを塗布した回転止め５０８と規制部５０３とを仕切り壁６０２を介してシャッターユニット内部と隔離することができる。そのため、シャッターユニット内部にグリースが浸潤すること防止して、レンズ鏡筒１００の信頼性を向上させることができる。
【００５２】
なお、また、バリア開閉角４０２には光軸方向への外光など遮光する遮光壁５０７を設けるようにしている。そのため、この遮光壁５０７によって、第２のレンズ群１４０ｂ、第３のレンズ群１４０ｃへの外光入射を防止して高精度の撮像を実現することができる。また、バリア開閉角４０２に遮光壁５０７を設けることにより、バリア開閉角４０２の機械的強度をさらに向上させて組み立ての際などの信頼性を向上させることができる。
【００５３】
以上のように、実施の形態のレンズ鏡筒によれば、フォーカスレンズ枠となる第３のレンズ枠のガイド軸に対する回転移動を規制する規制部をバリア開閉角に一体として設けているため、それぞれをマスターフランジ上に形成する必要がなく、スペースを有効に活用してレンズ鏡筒を小型化することができる。
【産業上の利用可能性】
【００５４】
本発明によれば、レンズ鏡筒の光軸方向の小型化ができるので、フィルムカメラやデジタルカメラ、ビデオカメラなどの撮像装置に適用して有用である。特には、小型化の要求が厳しいコンパクトタイプのデジタルカメラに適用して有用である。
【符号の説明】
【００５５】
１００    レンズ鏡筒
１１０    固定鏡筒
１２０    移動鏡筒
１２０ａ    第１の移動鏡筒
１２０ｂ    第２の移動鏡筒
１２０ｃ    第３の移動鏡筒
１３０ａ    第１のレンズ枠
１３０ｂ    第２のレンズ枠
１３０ｃ    第３のレンズ枠
１４０ａ    第１のレンズ群
１４０ｂ    第２のレンズ群
１４０ｃ    第３のレンズ群
１５０    バリアユニット
１５０ａ    開閉羽
１５０ｂ    開口部
１６０    カメラカム枠
１７０    直進枠
１８０    シャッターユニット
１８０ａ    シャッター
１８５    手ブレ補正機構
１８６    ガイド軸
１９０    フレキシブル配線
２１０    駆動枠
２２０    貫通カム枠
２３０    固定枠
２４０    マスターフランジ
２５０    ＩＲカットガラス
２６０    ＣＣＤユニット
４０１    バリア駆動ピン
４０１ａ，５０５    テーパ部
４０２    バリア開閉角
４０２ａ    端部
５００    第３のレンズ群ユニット
５０１    ガイド部材
５０２    ステッピングモータ
５０３    規制部
５０４    段差部
５０６    直線部
５０７    遮光壁
５０８    回転止め
６０１    貫通部
６０２    仕切り壁
７０１    Ｒ部
【図１】
0005577642.tif 000002
【図２】
0005577642.tif 000003
【図３】
0005577642.tif 000004
【図４】
0005577642.tif 000005
【図５】
0005577642.tif 000006
【図６】
0005577642.tif 000007
【図７】
0005577642.tif 000008